(57)【要約】【課題】圧着端子に接続されたケーブル等の出っ張り部分をなくすことで、圧着端子の着脱の作業性を確保する端子台を実現することを目的とする。【解決手段】本発明は、圧着端子を固着する端子台において、圧着端子を挿入する端子挿入孔と、この端子挿入孔に挿入した圧着端子の端子面に対して垂直方向に移動する芯部と、この芯部に交差する回転軸を有し、回転することで芯部を移動させるネジとを備えたことを特徴とするものである。【選択図】図１
2010272374.tif 000002
【特許請求の範囲】
【請求項１】
圧着端子を固着する端子台において、
前記圧着端子を挿入する端子挿入孔と、
この端子挿入孔に挿入した前記圧着端子の端子面に対して垂直方向に移動する芯部と、
この芯部に交差する回転軸を有し、回転することで芯部を移動させるネジと
を備えたことを特徴とする端子台。
【請求項２】
前記芯部は、ラックを有し、
前記ネジは、前記芯部のラックと噛み合う平歯車を有することを特徴とする請求項１記載の端子台。
【請求項３】
前記芯部の先端部に設けられ、前記圧着端子を押さえる座金を備えたことを特徴とする請求項１または２記載の端子台。
【請求項４】
電子機器に取り付けられることを特徴とする請求項１〜３のいずれかに記載の端子台。
【発明の詳細な説明】
【技術分野】
【０００１】
本発明は、ネジ等により圧着端子を固着させることにより結線する端子台に関し、圧着端子に接続されたケーブル等の出っ張り部分をなくすことで、圧着端子の脱着の作業性を確保する端子台に関するものである。
【背景技術】
【０００２】
端子台は、ケーブル先端に設けた圧着端子を、導電性の台座に固着することで結線するように構成されている。固着方式としては各種の方式があり、近年はバネ式が用いられることも多くなったが、電源等の高電流製品では固着強度の点からもネジ式の需要がある。このような装置は、例えば下記特許文献１に示される。
【０００３】
従来のネジ式端子台の構成例を、図２を用いて説明する。ここで、図２（ａ）は端子台の上面断面図、（ｂ）は端子台の正面図を示している。図２において、電子機器１０は、例えばプログラマブルコントローラのモジュールである。端子台２０は、電子機器１０の正面に取り付けられ、電子機器１０と電気的に接続され、台座２１、複数のネジ２２、複数の座金２３を有する。複数のネジ２２は、台座２１の長手方向に一列に設けられ、台座２１に対して垂直方向にネジ止めされる。座金２３は、ネジ２２ごとに貫通して設けられる。圧着端子３０は、ケーブルが接続され、台座２１の正面と平行に、台座２１に座金２３を介して固定され、端子台２０を介して、電子機器１０に電気的に接続される。
【０００４】
このような装置の取り付け動作を説明する。圧着端子３０を台座２１の正面と平行に取り付ける。そして、圧着端子３０に座金２３つきのネジ２２を貫通させ、ネジ２２を螺合方向に回転させることにより、圧着端子３０を台座２１に固着させる。これにより、電子機器１０と圧着端子３０とが電気的に接続される。
【先行技術文献】
【特許文献】
【０００５】
【特許文献１】特開平７−７３９１３号公報
【発明の概要】
【発明が解決しようとする課題】
【０００６】
しかしながら、この端子台２０では、端子台２０の正面に対し圧着端子３０の面を水平に取り付けるので、どうしても固着後の圧着端子３０に接続されたケーブル等の出っ張り部分が生じ、この出っ張り部分の面積を確保しなくてはならない。また、電子機器１０の小型化が要求され、この小型化に伴い端子台２０を取り付けるためのインターフェース面積自体も狭くなっている。このため、電子機器１０を複数個連ねて使用するような場合、例えば、プログラマブルコントローラ等のモジュールでは、近接するモジュールが影響し圧着端子３０の着脱の作業性が非常に悪い。
【０００７】
そこで、本発明の目的は、圧着端子に接続されたケーブル等の出っ張り部分をなくすことで、圧着端子の着脱の作業性を確保する端子台を実現することにある。
【課題を解決するための手段】
【０００８】
このような課題を達成するために、本発明のうち請求項１記載の発明は、
圧着端子を台座に固着する端子台において、
前記圧着端子を挿入する端子挿入孔と、
この端子挿入孔に挿入した前記圧着端子の端子面に対して垂直方向に移動する芯部と、
この芯部に交差する回転軸を有し、回転することで芯部を移動させるネジと
を備えたことを特徴とするものである。
請求項２記載の発明は、請求項１記載の発明であって、
前記芯部は、ラックを有し、
前記ネジは、前記芯部のラックと噛み合う平歯車を有することを特徴とするものである。
請求項３記載の発明は、請求項１または２記載の発明であって、
前記芯部の先端部に設けられ、前記圧着端子を押さえる座金を備えたことを特徴とするものである。
請求項４記載の発明は、請求項１〜３のいずれかに記載の発明であって、
電子機器に取り付けられることを特徴とするものである。
【発明の効果】
【０００９】
本発明によれば、端子台の正面と交差する方向に圧着端子を挿入し、端子台の正面と交差する方向の回転軸を持つネジを回転することで、圧着端子の端子面に対して垂直方向に芯部を移動させ、圧着端子を固着することにより、圧着端子に接続されたケーブル等の出っ張り部分をなくし、圧着端子の着脱の作業性を確保することが出来る。
【図面の簡単な説明】
【００１０】
【図１】本発明の一実施例を示した構成図である。
【図２】従来の端子台を示した構成図である。
【発明を実施するための形態】
【００１１】
以下本発明を、図面を用いて詳細に説明する。図１は本発明の一実施例を示した構成図である。（ａ）は端子台の上面断面図、（ｂ）は端子台の正面図である。
【００１２】
まず、本発明の実施形態例に係る端子台の構成について説明する。図１において、電子機器１は、例えばプログラマブルコントローラのモジュール、温度調節計、測定器、制御機器等である。端子台２は、電子機器１の正面に取り付けられ、電子機器１と電気的に接続され、台座３、複数の端子挿入孔４、複数の芯部５、複数の座金６、複数のネジ７を有する。複数の端子挿入孔４は、台座３の正面垂直方向に穴が形成され、台座３の長手方向が長手方向となる略長方形状の断面を有し、この断面の長手方向に一列に形成される。芯部５は、長手方向にラックが形成され、端子挿入孔４の穴の長手側面と垂直方向に移動する。座金６は、芯部５の先端付近に取り付けられる。ネジ７は、台座３の正面垂直方向、つまり芯部５の移動方向に対し直角方向の回転軸を持ち芯部５と交差し、回転軸外周に平歯車７１が設けられる。平歯車７１は、芯部５のラックと噛み合わされる。複数の圧着端子８は、同心円状の端子を有し、ケーブルが接続され、それぞれ端子挿入孔４に挿入され、座金６で固定され、端子台２を介して電子機器１に電気的に接続される。
【００１３】
次に具体的動作を説明する。端子挿入孔４に圧着端子８を挿入し、ネジ７を回転させることで平歯車７１が回転する。平歯車７１と噛み合う芯部５のラックが、ネジ７の回転方向の運動を芯部５の移動方向の運動に変え、芯部５が移動する。芯部５は、ネジ７を右回転することで、圧着端子８を端子挿入孔４の側面に押し付ける方向に移動して圧着端子８を座金６で固着する。これにより、圧着端子８は、端子台２を介して、電子機器１に電気的に接続される。逆にネジ７を左回転することで、圧着端子８を座金６より解放する。
【００１４】
したがって、端子台２の正面垂直方向に圧着端子８を挿入し、端子台２の正面垂直方向の回転軸を持つネジ７を回転することで、圧着端子８の端子面に対して垂直方向に芯部５を移動させ、圧着端子８を台座２に固着することにより、圧着端子８に接続されたケーブル等の出っ張り部分をなくし、圧着端子の着脱の作業性を確保することが出来る。
【００１５】
また、圧着端子８の取り付け後の端子台２の面積をコンパクトに出来、電子機器１の小型化ができる。また、隣接する電子機器１の計装による影響を及ぼさなくなる。
【００１６】
なお、平歯車７１と芯部５のラックにより、ネジ７の回転方向の運動を芯部５の移動方向の運動に変える構成を示したが、ラックの代わりに芯部５の外周部にはずば歯車を有し、またネジ７の外周部にも、平歯車７１の代わりにはすば歯車を有しそれらが噛み合うことにより、ネジ７の回転方向の運動を芯部５の移動方向の運動に変える構成でもよい。
また、複数の端子挿入孔４は、台座３の正面垂直方向に穴が形成される構成を示したが、複数の端子挿入孔４は、台座３の正面と斜め方向に穴が形成される構成でも良い。
さらに、ネジ７は、台座３の正面垂直方向、つまり芯部５の移動方向に対し直角方向の回転軸を持つ構成を示したが、ネジ７は、台座３の正面に対し斜め方向に形成する構成でも良い。つまり、ネジ７は、芯部５の移動方向と交差する回転軸を持つ構成であれば良い。
【００１７】
また、座金６を設ける構成を示したが、芯部５の先端の大きさが圧着端子８を固定させるだけ大きければ、座金６を設けなくとも良い。
【００１８】
そして、圧着端子８は、同心円状の端子を示したが、Ｕ字形状の端子等でもよい。
【符号の説明】
【００１９】
１  電子機器
２  端子台
３  台座
４  端子挿入孔
５  芯部
６  座金
７  ネジ
７１  平歯車
【図１】
2010272374.tif 000003
【図２】
2010272374.tif 000004